(57)【要約】      （修正有）【課題】流体接続装置、及びこの装置を使用して流体マイクロサンプルを採取するための連続的、かつ自動化されたシステムおよび方法を提供する。【解決手段】第１の開口を介して第１の配管２１へと接続されるように意図されており、さらに第２の配管２８を通す第２の開口を備えている装置２０が、第１の開口を定めている雌の流体コネクタ２２であって、前記第１の配管が開いている雌の端部２４を終端とする内側フィッティング面２３を有している雌の流体コネクタ２２と、第２の開口を定めている雄の流体コネクタ２５であって、外面２６を介して雌のコネクタへと装着され、雌のコネクタの内側の雄のラジアル端２７を終端とする雄の流体コネクタ２５とを備える。第２の配管が、柔軟なマイクロチューブから形成され、この第２の配管の自由端が、雌の端部へと密封の様相で押し付けられ、第１の配管と雄のコネクタとの間の死体積を最小にする。【選択図】図３
2009039513.tif 000002
【特許請求の範囲】
【請求項１】
採取または注入されるマイクロサンプルなどの流体を輸送するように意図され、第１の開口を介して第１の配管（２１）へと接続されるように意図されており、この流体を輸送すべく第１の配管と連絡するように意図された第２の配管（２８）を通す第２の開口を備えた流体接続装置（２０）であって、
前記第１の開口を規定する雌の流体コネクタ（２２）であって、第１の配管が開口する雌のラジアル端（２４）を終端とする内側フィッティング面（２３）を有している雌の流体コネクタ（２２）と、
前記第２の開口を規定する雄の流体コネクタ（２５）であって、外面（２６）を介して雌のコネクタへと装着され、雌のコネクタの内部に収納される雄のラジアル端（２７）を終端とする雄の流体コネクタ（２５）と、を有しており、
第２の配管が、雄のコネクタを真っ直ぐに貫いて、軸方向において前記雄の端部（２７）を越えて押し込まれる柔軟なマイクロチューブから形成され、この第２の配管の自由端が、前記雌の端部（２４）へと密封状態で押し付けられ、第１の配管と雄のコネクタとの間の死体積を最小にする流体接続装置（２０）。
【請求項２】
雌のコネクタの前記内側フィッティング面（２３）が、雄のコネクタの前記外面（２６）と同じ円錐状にて前記雌の端部（２４）へ向かって細くなり、雄のコネクタは、前記雄の端部（２７）へ向かって細くなる、請求項１に記載の流体接続装置（２０）。
【請求項３】
前記雄のコネクタ（２５）および雌のコネクタ（２２）が、両方とも、１９８６年のＩＳＯ５９４６１規格によって定められた「ルアー」式のコネクタ、または１９９８年のＩＳＯ５９４−２規格によって定められた「ルアーロック」式のコネクタである、請求項２に記載の流体接続装置（２０）。
【請求項４】
前記第２の配管（２８）が、前記規格の一方または他方に従って雄のコネクタが雌のコネクタの内側の接続位置へと真っ直ぐに押し込まれたときに、２つのコネクタ（２２および２５）の前記それぞれの端部（２４および２７）を隔てている最小距離（ｄｌ）に少なくとも等しい軸方向の長さだけ、前記雄の端部（２７）を越えて延びている、請求項３に記載の流体接続装置（２０）。
【請求項５】
前記第２の配管（２８）が、自身の円筒形の壁の周囲かつ自由端の付近に、前記雌のコネクタ（２２）の内側において該第２の配管（２８）を補強することができる補強手段（２９）を備えている、請求項１から４のいずれかに記載の流体接続装置（２０）。
【請求項６】
前記補強手段（２９）が、少なくとも前記第２の配管（２８）の剛性に等しく、好ましくは前記第２の配管（２８）の剛性よりも大きい剛性を有する材料で作られ、前記第２の配管（２８）へと固定することができるリングから形成されており、このリングが、例えばポリマー樹脂に基づいており、前記第２の配管（２８）と前記雌のコネクタ（２２）の前記円錐形の内側フィッティング面（２３）との間に位置するように取り付けられている、請求項５に記載の流体接続装置（２０）。
【請求項７】
前記第１の配管（２１）を装備しており、当該第１の配管（２１）が、血液マイクロサンプルの採取の目的のために小型の哺乳類の尾静脈へと埋め込まれる柔軟なカテーテルなど、前記液体の動物からの採取または動物への注入に適した柔軟なマイクロチューブである、請求項１から６のいずれかに記載の流体接続装置（２０）。
【請求項８】
ラットまたはマウスの種類の哺乳類からの血液マイクロサンプルなど、採取すべき液体を含んでいる体（２）からの一連の液体マイクロサンプルを、連続的に採取するための自動サンプリングシステム（３）であって、
保存容器（８）へと運ばれるべき所定の量の液体を突発にて吸い上げるための蠕動ポンプなどの定量ポンプ（７）によって一体に接続された配管（４、５）の連続を有しており、
この配管（４、５）の連続が、前記体へと埋め込まれるように意図され、マイクロサンプルをポンプに向かって運ぶための接続装置（２０）へと接続されているカテーテルの種類の第１の柔軟な配管（２１）を含んでおり、
前記接続装置が、請求項１から７のいずれかに記載の接続装置である、自動サンプリングシステム（３）。
【請求項９】
前記ポンプ（７）を制御するためのコンピュータ支援の制御装置（９）へと接続されている、請求項８に記載の自動サンプリングシステム（３）。
【請求項１０】
前記配管（４および５）の連続がほぼ一定の断面を有しており、これによって順次流れるマイクロサンプルのそれぞれが、これらの配管の最大の内部横断寸法の少なくとも５倍よりも大きい軸方向長さを占めて流れる、請求項８または９に記載の自動サンプリングシステム（３）。
【請求項１１】
前記配管（４および５）の連続の断面の拡大が、これらの配管を順次流れるマイクロサンプルが空間および時間において不連続なパケットであり、特には３０μｌ以下の体積を有するマイクロサンプルがこれらの配管において混ざり合うことが実質的にないよう、全て面積比に関して２０％以下である、請求項８から１０のいずれかに記載の自動サンプリングシステム（３）。
【請求項１２】
前記第２の配管（２８）を形成している前記柔軟なマイクロチューブが、長方形断面の少なくとも１つの平坦部（４ａ）によって延長されており、この少なくとも１つの平坦部（４ａ）が、この部位を流れるそれぞれの液体マイクロサンプルによって放射される粒子であって、ベータ崩壊からもたらされる電子または陽電子などの粒子のカウントを最適化するために、これらの粒子の減衰を最小化するように設計されている、請求項８から１１のいずれかに記載の自動サンプリングシステム（３）。
【請求項１３】
前記平坦部（４ａ）が、ほぼ矩形の断面を有しており、その長辺および／または短辺が、この部位が少なくとも部分的にほぼ凸状または凹状の外面を有するよう、相互に対称な曲率で湾曲している、請求項１２に記載の自動サンプリングシステム（３）。
【請求項１４】
前記平坦部（４ａ）が、２０％未満、好ましくは５％〜１０％の間の［内部の高さ（ｈ）／内部の幅（ｌ）］の比を有しており、ここで内部の高さおよび内部の幅はそれぞれ、ほぼ直交する２つの方向に沿って測定されるこの部位の最小および最大の横断寸法を表している、請求項１３に記載の自動サンプリングシステム（３）。
【請求項１５】
前記平坦部（４ａ）の流れの断面について、この平坦部に隣接するそれぞれの円筒形の部位の流れの断面に対する面積比が、３５％以下である、請求項１４に記載の自動サンプリングシステム（３）。
【請求項１６】
平坦部（４ａ）の前記内部の高さ（ｈ）が、５００μｍ未満、好ましくは１００μｍ〜２００μｍの間であり、隣接する円筒形の部位または隣接する円筒形の部位のそれぞれが、１ｍｍ程度の直径を有している、請求項１５に記載の自動サンプリングシステム（３）。
【請求項１７】
前記平坦部（４ａ）が、肉厚ｅ（単位はμｍ）および密度ｄ（単位はｇ／ｃｍ３）を有しており、その積ｅ×ｄが、カウント対象の粒子が電子または陽電子である場合に、それらの粒子のこの平坦部による減衰を最小限にするよう、１００未満であり、好ましくは５０未満である、請求項１２から１６のいずれかに記載の自動サンプリングシステム（３）。
【請求項１８】
前記平坦部（４ａ）が、ポリイミドに基づいており、例えば「Ｋａｐｔｏｎ」と呼ばれるポリイミドに基づいている、請求項１７に記載の自動サンプリングシステム（３）。
【請求項１９】
前記平坦部（４ａ）が、５０μｍ未満、好ましくは３０μｍ未満の肉厚を有している、請求項１８に記載の自動サンプリングシステム（３）。
【請求項２０】
前記平坦部（４ａ）が、この平坦部（４ａ）を流れるそれぞれの液体マイクロサンプルの前記粒子をカウントできる２組の検出器（６ａ）を、この平坦部（４ａ）の大きい方の面（６ａａ）に直面させ、かつこの平坦部（４ａ）の小さい方の面（６ａｂ）を超えて延在させて備えている、請求項１２から１９のいずれかに記載の自動サンプリングシステム（３）。
【請求項２１】
前記検出器（６ａ）が、前記大きい方の面（６ａａ）に当接または近接して配置されている、請求項２０に記載の自動サンプリングシステム（３）。
【請求項２２】
前記配管（４、５）の連続が、下流の装置の受け止め壁に接触するマイクロノズルを形成するより剛な部位を終端としており、このマイクロノズルの端部の切断面が、前記受け止め壁に対して５°〜８５°の間の角度をなしている、請求項８から２１のいずれかに記載の自動サンプリングシステム（３）。
【請求項２３】
採取されるマイクロサンプルが、血漿および血球を含む哺乳類（２）の全血のマイクロサンプルであり、
前記コンピュータ制御の定量ポンプ（７）の上流に、
この全血に希釈された放射線追跡子によって放射されるベータ粒子をカウントするための装置（６）であって、やはりコンピュータ制御であり、シリコンダイオードなどの前記検出器（６ａ）の組を測定箱（６ｂ）の内部に備えており、さらに電子処理／インターフェイスカードを備えているカウント装置（６）と、
検出器の読み出しならびにデータの取得および伝達のための電子モジュールと
を備えている、請求項２０または２１に記載の自動サンプリングシステム（３）。
【請求項２４】
ラットまたはマウスの種類の哺乳類からの血液マイクロサンプルなど、採取すべき液体を含んでいる体（２）からの液体マイクロサンプルを、連続的に採取するための自動の方法であって、
これらのマイクロサンプルが、あらかじめプログラムされた体積のマイクロサンプルを採取するための信号を、コンピュータ支援の制御装置（９）によって請求項８〜２３のいずれかに記載の自動サンプリングシステム（３）へとあらかじめプログラムされた瞬間ｔｉにおいて送信することによって、単調な時間関数に従って前記自動サンプリングシステム（３）によって連続的に採取され、
このようにして前記定量ポンプ（７）によって採取されたこれらのマイクロサンプルが、前記配管（４および５）の連続に沿って前記保存容器（８）まで空間的および時間的に続く方法。
【発明の詳細な説明】
【技術分野】
【０００１】
本発明は、流体の運搬を目的とする死体積（ｄｅａｄ  ｖｏｌｕｍｅ）のない流体接続装置に関する。さらに、本発明は、一連の液体マイクロサンプルを連続的に採取するための自動システムおよび方法であって、そのようにして採取されたサンプルが後の処理のための一時保管容器まで空間および時間において不連続なパケットであるような自動システムおよび方法に関する。より詳細には、本発明は、これに限られるわけではないが、例えばラットまたはマウスなどといった哺乳類からの全血マイクロサンプルを運搬するための流体接続装置に適用される。
【背景技術】
【０００２】
医学および生物学の両者において、一方ではカテーテルに組み合わせられ、他方では柔軟なマイクロチューブに組み合わせられて使用される流体接続装置は、通常は、１９８６年のＩＳＯ５９４６１規格によって定められた「ルアー（Ｌｕｅｒ）」式、または１９９８年のＩＳＯ５９４−２規格によって定められた「ルアーロック（Ｌｕｅｒ‐ｌｏｃｋ）」式の標準化されたコネクタである。本明細書に添付の図２を参照すると、通常の接続装置２０’は、基本的には、
カテーテルが押し込まれる雌の流体コネクタ２２’であって、このカテーテルが開いている雌の端部２４’へと収束する円錐形の内側フィッティング面２３’を有しているコネクタ２２’と、
雌のコネクタの内表面２３’と同じ円錐性を有しており、最大限に挿入された状態において雌の端部２４’から距離ｄｌを残しつつ雄の端部２７’へと収束している円錐形の外表面２６’を介して雌のコネクタ２２’へと装着される雄の流体コネクタ２５’（図２参照）と
を有している。
【０００３】
下記の表１が、上述の規格に従い、使用される材料に応じたルアー接続装置（６％の円錐角）の主たる寸法の特徴を列挙している。
【０００４】
【表１】
2009039513.tif 000003
この表の符号＊および＊＊について：
＊の寸法Ｌ、Ｍ、Ｎは、基本寸法からもたらされる。
＊＊または鋭い角度を有していない同等の入り口の面取り。
【０００５】
上述の規格によって定められた接続装置の主たる欠点は、雄および雌のコネクタのそれぞれの端部の間の距離ｄｌ（典型的には、約３ｍｍ）が、さまざまな状況において不利となる内在の死体積を生み出す点にある。最も頻繁には、コネクタがきわめて少量（この死体積に比肩する大きさの程度であり、あるいはこの死体積よりも小さい）の液体サンプルを循環させるために使用される場合に生じる。例を挙げると、哺乳類の血液マイクロサンプルの注入または採取の場合に、約４ｍｍの直径を有するコネクタが設けられた柔軟な配管を使用することが一般的な実務であり、結果として画定される空間が、１５μｌ〜３０μｌ程度の死体積を決定し、これが使用において以下の問題を引き起こしうる。
【０００６】
いくつかの順次のマイクロサンプルが、この死体積を満たすように機能するため、これが、最初のマイクロサンプルの通過を遅延させ、流体のより大きな体積が採取されて失われることを意味する。
【０００７】
流体配管の断面が、この死体積ゆえに顕著に拡大されるため、種々のマイクロサンプルが互いに混ざり合い、これは、流体が液体であって、これらのマイクロサンプルが例えば分析の目的のために順次使用される場合に、有害である。これは、それらのトレーサビリティを損ない、それぞれのマイクロサンプルが初期の特性を流通配管の全長にわたって保つことができることが基本的に重要である急激な生物学的現象の監視の場合に、きわめて不利である。
【０００８】
残留の流体との混合を防止することが望まれる場合の配管のパージの必要性など、他の欠点も、ここからもたらされる可能性があり、さらには、このパージの作業が、死体積の存在および形状ゆえに実行がきわめて困難である。
【０００９】
さらに、文献ＵＳ−Ａ−４  ９６６  ５８８から、
段部が設けられたそれぞれの円筒形のフィッティング面を介して雌のコネクタへと装着される雄のコネクタであって、注射端を形成するカニューレを受け入れるように意図されている雄のコネクタと、
２つのコネクタの間に配置されたシール用ワッシャを貫くことによって雄のコネクタおよび雌のコネクタの両者ならびにカニューレを通過するように挿入され、処置対象の体へと埋め込まれるように意図されている剛な注射針と
を基本的に有する流体接続装置を、治療用の液体物質を注入するために使用することが知られている。
【００１０】
コネクタおよびカニューレを真っ直ぐに通過する剛な注射針を使用するこの装置の主たる欠点は、この針の直径が、雄のコネクタの開口の直径に比べて小さい点にある。他の欠点は、シール用ワッシャが、注射後に針がコネクタから除去された後に意図せずに動いてしまう可能性があるという事実から生じる。これは、複数回の使用の場合に配置の問題を生じさせる可能性があり、あるいはアクセスの困難なシール用ワッシャを、使用のたびごとに交換しなければならないことを意味する可能性がある。
【００１１】
最後に、他の欠点は、シール用ワッシャを貫く針が、必然的に或る長さを有しており、これが針の上流または下流において問題となりうる点にある。すなわち、ラットまたはマウスなどといった小型の哺乳類における液体の注入または血液サンプルの取り出しに全く適していない。特にはラットにおいて、コネクタを介して柔軟な配管へと直接接続されたカテーテルを導入するために、この動物の尾静脈（あるいは、注入の場合には尾動脈）を使用することが一般的な実務である。特定の長さの金属針をシール用ワッシャを貫いて導入することで、この針が静脈（または、動脈）へと突き出すことが当然であり、これが、動物が尻尾を動かすときに損傷する可能性がある。
【発明の開示】
【発明が解決しようとする課題】
【００１２】
本発明の１つの目的は、採取または注入されるマイクロサンプル（採取の場合には、例えば血液であり、注入の場合には、一般に液体である）などの流体を輸送するように意図された流体接続装置であって、この装置の第１の開口を介して第１の配管へと接続されるように意図されており、この流体を輸送すべく第１の配管と連絡するように意図された第２の配管を通す第２の開口を備えており、
前記第１の配管が挿入されるように意図された前記第１の開口を定めている雌の流体コネクタであって、この第１の配管が開いている雌のラジアル端を終端とする内側フィッティング面を有している雌の流体コネクタと、
前記第２の開口を定めている雄の流体コネクタであって、外面を介して雌のコネクタへと装着され、雌のコネクタの内側の雄のラジアル端を終端とする雄の流体コネクタと
を有しており、上述の欠点の全てを是正している装置を提供することにある。
【課題を解決するための手段】
【００１３】
この目的のため、本発明による装置は、この第２の配管が、雄のコネクタを真っ直ぐに貫いて、軸方向において前記雄の端部を過ぎて押し込まれる柔軟なマイクロチューブから形成され、この第２の配管の自由端が、前記雌の端部へと密封の様相で押し付けられ、第１の配管と雄のコネクタとの間の死体積を最小にするような装置である。
【００１４】
用語「マイクロサンプル」は、本明細書において、それぞれ１００μｌ未満、好ましくは３０μｌ以下の体積を有する血液サンプルなどの液体サンプル（すなわち、典型的には、小動物から採取されるサンプル）を意味するものと解釈される。好ましくは、本発明による各マイクロサンプルは、ラットまたはマウスの種類の哺乳類からの全血サンプルであり、８μｌ〜３０μｌの範囲の体積を有している。
【００１５】
本発明による装置によって最小化されるこの死体積が、公知の接続装置における典型的には３０μｌ以下の体積を有するマイクロサンプルの流れに関する上述の欠点（特には、最初のマイクロサンプルの通過の遅れ、採取された液体の体積の喪失、およびトレーサビリティを損なうマイクロサンプルの混合）の改善を可能にすることに、留意されたい。
【００１６】
本発明の別の特徴によれば、雌のコネクタの前記内側フィッティング面が、前記雄の端部へと収束する雄のコネクタの前記外面と同じ円錐性にて前記雌の端部へと収束する円錐面であってよい。好ましくは、前記雄および雌のコネクタが、どちらも、１９８６年のＩＳＯ５９４６１規格によって定められた「ルアー」式のコネクタ、または１９９８年のＩＳＯ５９４−２規格によって定められた「ルアーロック」式のコネクタであってよい。
【００１７】
好ましくは、前記第２の配管を、前記規格の一方または他方に従って雄のコネクタが雌のコネクタの内側の接続位置へと真っ直ぐに押し込まれたときに、２つのコネクタの前記それぞれの端部を隔てている最小距離に少なくとも等しい軸方向の長さだけ、前記雄の端部を超えて延在させることができる。
【００１８】
やはり好ましくは、前記第２の配管が、自身の円筒形の壁の周囲かつ自由端の付近に、前記雌のコネクタの内側において該第２の配管を補強することができる補強手段を備えることができる。
【００１９】
有利には、前記補強手段が、少なくとも前記第２の配管の剛性に等しく、好ましくは前記第２の配管の剛性よりも大きい剛性を有する材料で作られ、前記第２の配管へと固定することができるリングから形成されており、この固定は、直接的であっても、あるいは前記雄のコネクタを介してもよい。後者の場合には、当然ながら、雄のコネクタが前記第２の配管へと固定される。
【００２０】
好ましい変種によれば、補強手段が、補強手段によってクランプされる第２の配管の端部へと固定され、第２の配管および雌のコネクタの前記円錐形の内側フィッティング面の間に位置するように取り付けられる。例として、この補強手段は、ポリマー樹脂に基づくことができる。
【００２１】
このリングを、第２の配管の周囲に貼り付けることができ、あるいは第２の配管と一緒に共押し出しすることができる。工業的な製造により適した変種によれば、雄のコネクタを、この補強手段を取り入れることができるように金型の当初の形状にわずかな手直しを加えるだけで、ただ１回の成型作業にて製造することができる。
【００２２】
本発明による接続装置に取り付けられる前記第１の配管に関しては、この第１の配管が、有利には、血液マイクロサンプルの採取の目的のために小型の哺乳類の尾静脈へと埋め込まれる柔軟なカテーテルなど、前記液体の動物からの採取または動物への注入に適した柔軟なマイクロチューブである。
【００２３】
ラットまたはマウスの種類の哺乳類からの血液マイクロサンプルなど、採取すべき液体を含んでいる体からの一連の液体マイクロサンプルを連続的に採取するための本発明による自動サンプリングシステムは、保存容器へと運ばれるべき所定の量の液体を突発にて吸い上げるための蠕動ポンプなどの定量ポンプによって一体に接続された配管の連続を有しており、この配管の連続が、前記体へと埋め込まれるように意図され、マイクロサンプルをポンプに向かって運ぶための接続装置へと接続されているカテーテルの種類の第１の柔軟な配管を含んでおり、前記接続装置が、上述のような接続装置であることを特徴とする（すなわち、この第１の配管を延長する前記第２の配管を含んでいる）。
【００２４】
本発明の他の特徴によれば、前記サンプリングシステムが、特には前記ポンプを制御するために設けられたコンピュータ支援の制御装置へと接続されている。
【００２５】
本発明の他の特徴によれば、前記配管の連続が、順次流れるマイクロサンプルのそれぞれが、これらの配管の最大の内部横断寸法（例えば、それらの内径）の少なくとも５倍よりも大きい軸方向長さを占めて流れるように、ほぼ一定の断面を有している。
【００２６】
本発明が、下流の装置への供給の目的で不連続な一連のサンプルを生成するように意図されている場合には、有利には、前記配管の連続が、マイクロノズルとして機能するより剛な部位を終端とすることができる。この場合、マイクロサンプルの預け入れをより容易にするために、マイクロノズルの端部が、前記下流の装置の受け止め壁に接し、好ましくはこの壁が、前記マイクロノズルの端部の切断面と５°〜８５°の間の角度をなしている。好ましくは、この角度が４５°にほぼ等しい。これは、この角度が９０°よりも大きい場合、このマイクロノズルによって形成される液滴の全てまたは一部が、表面張力の理由のためにマイクロノズルに付着したままになりうるためである。
【００２７】
本発明の別の重要な特徴によれば、前記配管の連続の断面の拡大が、これらの配管を順次流れるマイクロサンプルが空間および時間において不連続なパケットであり、特には３０μｌ以下の体積を有するマイクロサンプルがこれらの配管において混ざり合うことが実質的にないよう、全て面積比に関して２０％以下である。
【００２８】
本発明の別の特徴によれば、前記第２の配管を形成している前記柔軟なマイクロチューブが、少なくとも特に平坦であって長方形の断面である少なくとも１つの部位によって延長されており、この部位が、この部位を流れるそれぞれの液体マイクロサンプルによって放射される粒子（ベータマイナスまたはベータプラス崩壊からもたらされる電子または陽電子、あるいは蛍光によってカウントされる場合の光子、など）のカウントを最適化するために、これらの粒子の減衰を最小化するように設計されている。
【００２９】
好ましくは、前記平坦部が、ほぼ矩形の断面を有しており、その長辺および／または短辺が、この部位が少なくとも部分的にほぼ凸状または凹状の外面を有するよう、相互に対称な曲率で湾曲している。
【００３０】
有利には、前記平坦部が、２０％未満、好ましくは５％〜１０％の間の［内部の高さ（ｈ）／内部の幅（ｌ）］の比を有しており、ここで内部の高さおよび内部の幅はそれぞれ、ほぼ直交する２つの方向に沿って測定されるこの部位の最小および最大の横断寸法を表している。
【００３１】
やはり有利には、前記平坦部の流れの断面について、この平坦部に隣接するそれぞれの円筒形の部位の流れの断面に対する面積比が、３５％以下であってよい。
【００３２】
好ましくは、平坦部の前記内部の高さが、５００μｍ未満、好ましくは１００μｍ〜２００μｍの間であってよく、隣接する円筒形の部位または隣接する円筒形の部位のそれぞれが、おそらくは１ｍｍ程度の直径を有している。
【００３３】
本発明の別の特徴によれば、有利には、前記平坦部が、肉厚ｅ（単位はμｍ）および密度ｄ（単位はｇ／ｃｍ３）を有しており、その積ｅ×ｄが、カウント対象の粒子が電子または陽電子である場合に、それらの粒子のこの部位による減衰が最小限になるよう、１００未満であり、好ましくは５０未満である（電子および陽電子のどちらの場合も、減衰は、公知のとおり、積ｅ×ｄに比例する）。
【００３４】
有利には、前記平坦部が、１．３〜１．５ｇ／ｃｍ３の密度を有するポリイミド（例えば、「Ｋａｐｔｏｎ」）に基づいており、この平坦部が、５０μｍ未満、好ましくは３０μｍ未満の肉厚を有している。この平坦部は、例えば熱成形によって得られる。
【００３５】
本発明の他の特徴によれば、前記平坦部が、この平坦部を流れるそれぞれの液体マイクロサンプルの前記粒子をカウントできる２組の検出器を、この平坦部の大きい方の面に直面させ、かつこの平坦部の小さい方の面を超えて張り出させて備えている。
【００３６】
この検出器の張り出しが、カウント対象の粒子の「捕捉」（幾何学的なアクセプタンスの概念）の最適化を可能にすることに、留意されたい。
【００３７】
有利には、前記検出器が、前記大きい方の面に当接または近接して配置されている。
【００３８】
本発明の別の特徴によれば、採取されるマイクロサンプルが、血漿および血球を含む哺乳類の全血のマイクロサンプルであり、
当該システムが、前記コンピュータ制御の定量ポンプの上流に、
この全血に希釈された放射線追跡子によって放射され、材料を通過することによって大きく減衰させられるα、β、またはγ放射能（αまたはγ粒子ならびに電子または陽電子）をカウントするための装置であって、やはりコンピュータ制御であり、前記２つのプレートに実質的に当接して分配されたシリコンダイオードなどの前記検出器の組を測定箱の内部に備えており、さらにこれらの測定のための電子処理／インターフェイスカードを備えているカウント装置と、
検出器の読み出しならびにデータの取得および伝達のための電子モジュールと
を備えることができる。
【００３９】
したがって、このシステムが、これらの測定をマイクロサンプルの採取の直後に有利に実行できることに留意されたい。
【００４０】
ラットまたはマウスの種類の哺乳類からの血液マイクロサンプルなど、採取すべき液体を含んでいる体からの液体マイクロサンプルを、連続的に採取するための本発明による自動の方法は、これらのマイクロサンプルが、あらかじめプログラムされた体積のマイクロサンプルを採取するための信号を、コンピュータ支援の制御装置によって上述の自動サンプリングシステムへとあらかじめプログラムされた瞬間ｔｉにおいて送信することによって、単調な時間関数に従って上述の自動サンプリングシステムによって連続的に採取され、このようにして定量ポンプによって採取されたこれらのマイクロサンプルが、前記配管の連続に沿って前記保存容器まで空間的および時間的に続くことを特徴とする。
【００４１】
有利なことに、本発明による連続的なサンプリング方法においては、最小のサンプリング時間が１秒であり、従来技術において使用されるサンプリング時間の半分でしかないことに留意されたい。
【００４２】
このように、本発明によるサンプリングシステムは、特には、一方では時間的および空間的に不連続なパケット（例えば、マイクロチューブ内の空白によって容易に分離できる）にてのマイクロサンプル（好ましくは、血液マイクロサンプル）の採取で構成され、他方では例えば（特には、小型の哺乳類についての放射線画像化のための入力関数の測定の目的のため、特には、ＰＥＴ（陽電子放射断層撮影）における追跡子の定量的画像化のために）区別の行為を加えるためのマイクロサンプルの相のうちの少なくとも１つの各マイクロサンプルにおける空間的な分離で構成される２つの機能（どちらも自動化されている）の並びの自動的な（すなわち、人手の介在を必要としない）実行および結合を可能にする。
【００４３】
マイクロサンプルの採取に好ましく使用される動物の小さなサイズが、これらのマイクロサンプルの総体積を、動物の健康に矛盾しないだけでなく、動物の代謝を可能な限り乱さない量に制限することを必要とすることに、留意されたい。
【００４４】
本発明の上述の特徴ならびに他の特徴が、あくまで本発明を限定するものではない例として添付の図面を参照しつつ行われる本発明のいくつかの例示的な実施形態についての以下の説明を検討することで、さらに明確に理解されるであろう。
【発明を実施するための最良の形態】
【００４５】
図１は、柔軟な毛管またはマイクロチューブの形式の配管４および５の連続を含んでいるサンプリングシステム３によって、例えばラットまたはマウスといった種類の小型の哺乳類２からの血液マイクロサンプルの採取を順次かつ連続的に実行し、それらのマイクロサンプルを一時的に保管し、それらについて測定を実行するための自動設備１を、例として示している。このサンプリングシステム３は、基本的には、
接続装置２０（図３に見ることができる）が備えられており、採取すべき同じ量の血液を蠕動ポンプ７によって突発にて吸い上げるように意図されているカテーテル２１（図３に見ることができる）と、
可能な限り採取点の近くに配置され、前記配管４、５の連続の測定部４ａに実質的に接触し、採取したマイクロサンプルに存在する粒子をカウントするためのカウント装置６（この例では、全血マイクロサンプルの場合にベータ放射能６からもたらされる粒子をカウントするカウント装置６であり、前記部位４ａが、後述のように、このカウントに最適化された形状および材料の特性を有しており、カウンタ６の備える検出ダイオード６ａに対して中心に位置している）と、
蠕動ポンプ７の下流に配置され、採取および分析された前記マイクロサンプルを保存および処理するサンプル処理システム８と、
前記ポンプ７を含む全システム３を制御するためのコンピュータ支援の制御装置９（この制御については、図１の両矢印ＡおよびＢを参照）と
を有している。
【００４６】
本発明によれば、配管４および５の連続は、この配管４および５の連続を順次流れるマイクロサンプルが、この配管４および５において拡散による混合を実質的に受けることがないよう、これらの配管に沿って存在する断面の拡大が、面積比に関して常に２０％以下であるような配管４および５の連続である。この方法で、これらのマイクロサンプルが、空間的および時間的に不連続なパケットである。
【００４７】
図３に示されているように、本発明による接続装置２０は、  カテーテル２１が押し込まれる雌の流体コネクタ２２であって、カテーテル２１が開いている雌のラジアル端２４へと収束する円錐形の内側フィッティング面２３を有している雌の流体コネクタ２２と、
雌のコネクタ２２の前記内表面２３と同じ円錐性を有している円錐形の外表面２６を介して雌のコネクタ２２へと装着され、雄のラジアル端２７へと収束している雄の流体コネクタ２５と、
空間および時間において不連続なパケットである採取されたマイクロサンプルを保存容器へと運ぶために適したＬＤＰＥ（「ＬＤＰＥ  ５０」または「ＬＤＰＥ  １００」などといった低密度ポリエチレン）で作られた柔軟なマイクロチューブ２８であって、雄のコネクタ２５へと真っ直ぐに押し込まれて、軸方向において雄の端部２７を超え、直面する雌の端部２４に直接に隣接して、これら２つのそれぞれの端部２７および２４の間の雌のコネクタ２２の内側の局所の死体積を最小にする柔軟なマイクロチューブ２８と
を、例えば哺乳類２の尾静脈へと埋め込まれるように意図され、１．５ｍｍの外径および０．８ｍｍの内径を有している柔軟なカテーテル２１へと接続して有している。
【００４８】
より詳細には、これらのコネクタ２２および２５が、１９８６年のＩＳＯ５９４６１規格によって定められたルアーコネクタ、または１９９８年のＩＳＯ５９４−２規格によって定められたルアーロックコネクタである。
【００４９】
好ましくは、これらの規格の一方または他方に従って雄のコネクタ２５が雌のコネクタ２２の内側の接続位置へと押し込まれたときに、マイクロチューブ２８が、端部２７および２４を隔てている最小距離ｄｌに少なくとも等しい軸方向の長さだけ、雄の端部２７を超えて通過している。実際、図３に示されているように、このマイクロチューブ２８は、雌の端部２４に密封の様相で当接している。
【００５０】
本発明による雄のコネクタ２５によれば、図２に示した公知の接続装置に関するときの上述の長さの差ｄｌに内在する死体積を克服することができる。
【００５１】
この図３に示されているように、本発明のマイクロチューブ２８は、カテーテル２１に隣接する自由端に、マイクロチューブ２８の円筒形の壁と雌のコネクタ２２の内表面２３との間に取り付けられた補強リング２９を備えている。有利には、補強手段２９は、少なくともマイクロチューブ２８の剛性に等しく、好ましくはマイクロチューブ２８の剛性よりも大きい剛性を有する材料で作られ、マイクロチューブ２８へと固定することができるリングによって形成されており、この固定は、直接的であっても、雄のコネクタ２５を介してもよい。後者の場合には、当然ながら、雄のコネクタ２５が、マイクロチューブ２８へと固定される。
【００５２】
好ましい変種によれば、リング２９が、マイクロチューブ２８の端部へと固定され、ポリマー樹脂に基づくことができる。このリング２８を、マイクロチューブ２８の周囲へと取り付けることができ、あるいはマイクロチューブ２８と一緒に共押し出しすることができる。
【００５３】
本発明による接続装置２０は、マイクロチューブ２８を強制的に導入するために従来技術の装置２０’に環状の断面の開口を穿孔することによって、従来技術の装置２０’から製造される（端部の鋭い切断が、マイクロチューブ２８の軸に直角である）。
【００５４】
したがって、本発明による雄のコネクタ２５が、上述の規格による標準的な雌のルアー装置の全範囲と互換であり、接続装置２０における死体積（この死体積は、配管の最小断面に対する断面の２０％の増加に相当しうる）をなくすことを有利に可能にし、結果として、特には血液マイクロサンプルを混ざり合う恐れなく輸送する（したがって、完璧なトレーサビリティを備え、配管を出るサンプルが配管に進入するサンプルに一致する）ことを有利に可能にすることに、留意されたい。さらに、この構成によれば、測定または分析を開始するために過剰に多数のマイクロサンプルが採取されるのを待つ必要がなくなり、さらには、死体積に相当する液体の体積が無駄にされることが防止される。
【００５５】
図４および図４ａに示されているように、平坦な測定部４ａが、本発明によるサンプリング配管の連続に設けられ、この平坦な部位が、図３の前記第２の配管２８を延長するとともに、図１の粒子カウントシステム６（小型の哺乳類２の入力関数を測定するために有利に使用されるベータカウンタなど）によるカウントを最適化するように設計されている。この方法で、選択される検出体積が減じられ、カウントの効率が高められる。
【００５６】
この目的のため、長方形の断面の前記平坦な測定部４ａが、熱成形によって製造され、商標「Ｋａｐｔｏｎ」のポリイミド（１．４２ｇ／ｃｍ３の密度および２５μｍ±１０％の肉厚を有している）で製作され、この部位が、例えばＬＤＰＥで製作され、例えば約１ｍｍの内径を有している２つの円筒形の配管を一体に結び付けている。図４ａに示されているように、カウントシステム６の上述の検出ダイオード６ａが、ここでは部位４ａの高さｈで構成されている部位４ａの最小の横断寸法に対して、この部位４ａの両側に配置されている。
【００５７】
この例示的実施形態においては、平坦部４ａが、概ね矩形の断面を有しており、その短辺が、相互に対称な凸の曲率で湾曲しており、この部位の［内部の高さｈ／内部の幅ｌ］の比が、約８％であり、内部の高さおよび内部の幅が、それぞれ１３０μｍおよび１４９０μｍに等しい。
【００５８】
平坦部４ａの流れの断面（約０．１９ｍｍ２）の隣接するそれぞれの円筒形部分（約０．７８ｍｍ２の内側断面を有している）の流れの断面に対する面積比に関しては、わずかに２５％未満である。
【００５９】
さらに、平坦部４ａは、肉厚ｅおよび密度ｄを有しており、その積ｅ×ｄが、ほぼ３５．５（ｅ＝２５μｍおよびｄ＝１．４２ｇ／ｃｍ３にて）に等しく、これは、ＬＤＰＥ製のマイクロ配管（「Ｋａｐｔｏｎ」よりも低い密度を有するが、厚さが大幅に大きい）の場合において一般的には１５０〜２００の間である通常使用される値よりもはるかに小さく、したがって電子または陽電子などといったカウント対象の粒子について、この本発明による部位４ａによる減衰が顕著に最小化される。
【００６０】
図４ａに示されているように、平坦部４ａには、平坦部４ａを流れるそれぞれの液体マイクロサンプルの前記粒子をカウントすることができる２組の前記検出ダイオード６ａが、平坦部４ａの大きい方の面に面し、平坦部４ａの小さい方の面よりも突き出して装備されている（このダイオード６ａの突き出しが、カウント対象の粒子の「捕捉」の最適化を可能にする）。
【００６１】
この本発明による平坦部４ａを得るために使用される熱成形工程は、特には、
部位４ａを、低温で、成形用金型に配置する工程と、
その両端を、加圧のために柔軟なマイクロチューブへと接続する工程と、
圧力（１．５ｂａｒの相対圧力）を加える工程と、
金型を、１５分間にわたって３００℃に加熱する工程と、
金型を、加圧下で冷却する工程と、
冷却後に圧力をゆっくりと下げる工程と
を含んでいる。
【００６２】
図５のグラフが、実験によって確認されたシミュレーション曲線の形態で、２つの一連の実験Ｓ１およびＳ２について得られたカウント効率の結果を示している。実験Ｓ１およびＳ２を、それぞれ、
・円筒形部分の半径が０．５ｍｍであって、上記平坦部４ａが取り入れられている本発明による配管にて、採取される血液マイクロサンプルの体積を（マウスに適合する）８μｌとして実行し、
０．５ｍｍの半径を有する全長にわたって円筒形である（すなわち、平坦部を備えない）第１の「対照」配管にて、採取される血液マイクロサンプルの体積を（ラットに適合する）３０μｌとして実行し、
０．２５ｍｍの半径を有する全長にわたって円筒形である（すなわち、平坦部を備えない）第２の「対照」配管にて、採取される血液マイクロサンプルの体積を８μｌとして実行した。
【００６３】
この平坦部４ａのおかげで、陽電子の検出効率が、最小のしきい値（約４６ｋｅＶ）において、円筒形のマイクロチューブでの３２％から、本発明のマイクロチューブでの６０％超まで向上することに注目できる。利得は、８μｌのサンプルに適合する円筒形のマイクロチューブ配管が約２５％の効率を与えるため、さらに大きい。このように、本発明による最適化されたマイクロチューブは、８μｌの試料において、全長にわたってすべてが円筒形であるマイクロチューブでのわずか２５％に比べ、最小のしきい値において６０％を超える効率を達成して動作することを可能にする。これが、本発明によるサンプリングシステム３を、マウスの入力関数の測定によく適したものにしている。
【００６４】
次に、図３の接続装置２０へと挿入され、図４に示した本発明によるサンプリング配管の平坦部４ａによって延長されるマイクロチューブ２８に関して使用されるシステムおよびベータ放射カウント方法を、図１に関してさらに詳しく説明する。
【００６５】
この接続装置２０の数センチメートル下流において、それぞれのマイクロサンプルが、ベータ放射能からもたらされる粒子をカウントするためのカウンタ６の可能な限り近くを通過し、このカウンタ６にとって、配管の肉厚は、きわめてわずかな減衰しか引き起こさない。図１に示されているように、カウンタ６の箱６ｂに固定された平坦部４ａが、壁における陽電子の消滅の量を最小限にすることを可能にし、その形状は、サンプルの体積（３０μｌまたは８μｌ）を部位４ａを囲んでいる６つのシリコン検出ダイオード（１０×１０×０．３ｍｍ３を測定する）の直下に正しく中心合わせして含むことができるような形状である。これらのダイオード６ａは、それ自体が、動物２から生じる光子に起因する物理的な雑音を除くように意図された厚さ２ｃｍの鉛シールドによって囲まれている。この測定システム６の残りの部分は、小さな寸法（１６×１１×４ｃｍ３）の箱６ｂの形態であってシステム全体を小型かつ頑強にする電子処理／インターフェイスカードを有している。
【００６６】
ベータ放射線から由来する陽電子の血液中での消滅の確率を最小にするために、柔軟なマイクロチューブに、少なくともダイオード６ａの前方を通過する地点において、部位４ａの平坦な形状を与えることが有利である。さらに、上述のように、この幾何学的構成は、液体が薄いシートとして広がるように保証し、検出面に面する液体の面積を増加させる。測定システム６について採用される構成は、以下のとおりである。
【００６７】
２５μｍの肉厚を有する平坦部４ａが、０．３ｍｍの厚さを有するダイオード６ａの間に挟まれている（上側の３つのダイオード６ａおよび下側の３つのダイオード６ａ）。
【００６８】
これらのダイオード６ａのための読み出し用の電子機器、ならびにデータの取得および伝達を制御する電子機器は、電子雑音を可能な限り少なくして検出しきい値を最適な効率のために最小化できるように最適化された単一の電子機器モジュールへと統合されている。
【００６９】
「前処理」の電子機器（整形器および弁別器）が、ＡＳＩＣ（１６のチャネル、共通のしきい値、１６の出力＋１つのＯＲを有している）によってもたらされている。しきい値は、ユーザによって調節される。取得カードは、パーソナルコンピュータのＵＳＢインターフェイスの柔軟性、およびＦＰＧＡ（フィールド・プログラマブル・ゲート・アレイ）設定可能デジタル回路においてなされた進歩を有利に利用する設定可能なＵＳＢテストカードである。これは、多数の信号の迅速な処理を可能にし、コンピュータのインターフェイスからプログラムすることが可能である。
【００７０】
基本的な仕組みが、図１に示されている。動物２の動脈から来るカテーテル２１が、箱６ｂの片側に到着する図３のマイクロチューブ２８によって延長され、次いで箱６ｂの内部を横切る平坦部４ａによって延長されており、血液は、箱６ｂの反対側に現われる。この血液の流れは、蠕動ポンプ７によって実行される。採取されるマイクロサンプルの体積を、調節することが可能であり、採取の時間も同様である。これらのパラメータは、設備１の制御装置９のコンピュータによって制御される。
【００７１】
２つのマイクロサンプルの採取の間の最小時間は、１秒である。血液中の放射線追跡子の運動の動的な範囲をカバーするために、マイクロサンプルは、約３０秒〜１分にわたる注入の後に１秒ごとに採取され、次いで、より開いた時間間隔で採取される（この段階においては、曲線の勾配がより緩やかである）。
【００７２】
図３に関して上述したように、サンプル採取用のカテーテル２１と箱６ｂへと開いているマイクロチューブ２８との間の接続は、隣り合う２つのマイクロサンプルの混合を引き起こしかねない死体積を除くように行われている。マイクロチューブと箱６ｂとの間の接続に関しては、マイクロサンプルの体積の喪失を防止するように設計されている。さらに、箱６ｂの外部の２つのマイクロチューブの寸法は、隣接する２つのマイクロサンプルの間の拡散が不可能であるような寸応である。
【００７３】
したがって、血液マイクロサンプルが、空間的および時間的に不連続なパケットとして採取され、したがって、サンプル処理システム８まで、拡散なしで進行し、サンプル処理システム８において保管され、例えば遠心分離によってそれらの相またはそれらの成分の少なくとも１つの抽出が有利に加えられる。
【００７４】
この本発明によるサンプリングシステム３を、特には陽電子放射断層撮影（ＰＥＴ）における新規な追跡子の定量的画像化のための臨床前の研究の分野において、有利に使用できることに注目できる。この場合、該当の液体は、血液であり、用途は、ラットまたはマウスなどといった小動物の入力関数の測定にある。これらの動物は小型であり、したがってそれらの有する血液の総量が少ないため、それぞれのマイクロサンプルの体積は、ラットの場合に約３０μｌに制限され、マウスの場合には約８μｌに制限される。
【図面の簡単な説明】
【００７５】
【図１】ベータ放射能によって放射される粒子をカウントするためのカウンタなどの測定システムを採取されたマイクロサンプルの処理のためのサンプル処理装置の上流に配置して備えている本発明による自動サンプリングシステムの概略の部分図である。
【図２】公知の形式の雄および雌のコネクタを備えており、片側がカテーテルへと接続されるように意図され、他方の側がマイクロサンプルを採取するための柔軟なマイクロチューブへと接続されるように意図されている接続装置の一部分の放射断面の図である。
【図３】雄および雌のコネクタを備えており、このカテーテルへと接続されるように意図され、図１のサンプリングシステムの上流部を構成する本発明による接続装置の一部分の放射断面の図である。
【図４】この接続装置の下流に設けられ、図１の測定システムによって実行される粒子のカウントのための平坦部を有している本発明によるサンプリングシステムの配管の形状および相対寸法を、ユーロ１０セント硬貨との比較にて説明する写真である。
【図４ａ】図１に示した２組の検出器を備える本発明によるこの平坦部の概略の断面図である。
【図５】本発明によるこの平坦な測定部ならびに対照試験としての２つの円筒形のマイクロチューブを含む３種類のサンプリング配管について、１８Ｆ放射線追跡子の検出効率を検出しきい値の関数として示すグラフである。
【図１】
2009039513.tif 000004
【図２】
2009039513.tif 000005
【図３】
2009039513.tif 000006
【図４ａ】
2009039513.tif 000007
【図４】
2009039513.tif 000008
【図５】
2009039513.tif 000009
【外国語明細書】
2009039513000001.pdf
2009039513000002.pdf
2009039513000003.pdf
2009039513000004.pdf